(57)【特許請求の範囲】
【請求項１】
現金を収納する現金収納部、現金を計数する現金計数部、顧客に対して現金の授受を行う接客口、及び該接客口に設けられ、接客口内部と装置外部とを遮断する開閉可能な接客口シャッタを有する現金処理ユニットと、
顧客が取引の際に操作する顧客操作部と、
取引時の各種制御を行う制御部を備えた自動取引装置において、
前記制御部は、
前記顧客操作部の操作により顧客から入力された出金金額が予め決めた限度額以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、ホストコンピュータとの通信を行って取引に必要な情報が正当なものであるかを判断し、正当なものであると判断した場合には接客口シャッタを開放して顧客に現金を渡す処理を行わせる第１の制御手段と、
前記出金金額が予め決めた限度額以上であると判断した場合、ホストコンピュータとの通信を行って取引に必要な情報が正当なものであるかを判断し、正当なものであると判断した後に、前記現金処理ユニットを制御して出金金額の現金を現金計数部で計数し、その計数した現金を接客口に集積させ、接客口シャッタを開放させて顧客に現金を渡す処理を行わせる第２の制御手段を備えている、
ことを特徴とする自動取引装置。
【請求項２】
現金を収納する現金収納部、現金を計数する現金計数部、顧客に対して現金の授受を行う接客口、及び該接客口に設けられ、接客口内部と装置外部とを遮断する開閉可能な接客口シャッタを有する現金処理ユニットと、
顧客が取引の際に操作する顧客操作部と、
取引時の各種制御を行う制御部を備えた自動取引装置において、
前記制御部は、
前記顧客操作部の操作により顧客から入力された出金金額が予め決めた限度額以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、ホストコンピュータとの通信を行って取引に必要な情報が正当なものであるかを判断し、正当なものであると判断した場合には接客口シャッタを開放して顧客に現金を渡す処理を行わせる第１の制御手段と、
前記出金金額が予め決めた限度額以上であると判断した場合、前記現金処理ユニットを制御して前記限度額未満の現金を現金計数部で計数し、その計数した限度額未満の現金を接客口に集積させる処理を行わせると共に、
前記処理と同時並行処理で、ホストコンピュータとの通信を行い取引に必要な情報が正当なものであるかを判断し、正当なものであると判断した場合は、その後、前記現金処理ユニットを制御して、残りの現金を現金計数部で計数し、その計数した現金を接客口に集積させ、接客口シャッタを開放して顧客に現金を渡す処理を行わせる第２の制御手段を備えている、
ことを特徴とする自動取引装置。
【請求項３】
現金を収納する現金収納部、現金を計数する現金計数部、顧客に対して現金の授受を行う接客口、及び該接客口に設けられ、接客口内部と装置外部とを遮断する開閉可能な接客口シャッタを有する現金処理ユニットと、
顧客が取引の際に操作する顧客操作部と、
取引時の各種制御を行う制御部を備えた自動取引装置に、
前記顧客操作部の操作により顧客から入力された出金金額が予め決めた限度額以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、ホストコンピュータとの通信を行って取引に必要な情報が正当なものであるかを判断し、正当なものであると判断した場合には、接客口シャッタを開放して顧客に現金を渡す処理を行わせる第１の手順と、
前記出金金額が予め決めた限度額以上であると判断した場合は、ホストコンピュータとの通信を行って取引に必要な情報が正当なものであるかを判断し、正当なものであると判断した後に、前記現金処理ユニットを制御して出金金額の現金を現金計数部で計数し、その計数した現金を接客口に集積させ、接客口シャッタを開放させて顧客に現金を渡す処理を行わせる第２の手順とを実行させるためのプログラムを記録したコンピュータ読み取り可能な記録媒体。
【発明の詳細な説明】
【０００１】
【発明の属する技術分野】
本発明は、銀行、その他の金融機関等の店舗に設置され、顧客の操作に基づき、現金や電子マネーの入出金等の取引を自動的に行うＡＴＭ（Autmatic Tellers Machne ）等の自動取引装置及び記録媒体に関する。
【０００２】
【従来の技術】
以下、従来例を説明する。
§１：ＡＴＭの説明
図９は従来のＡＴＭブロック図である。以下、図９に基づいて従来のＡＴＭを説明する。ＡＴＭ１は、銀行、その他の金融機関等の店舗に設置され、顧客の操作に基づき、現金や電子マネーの入出金等の取引を自動的に行う装置であり、遠隔地のセンタに設置されたホストコンピュータ（勘定系コンピュータ）２５と通信回線を介して接続されると共に、遠隔地にある監視センタに設置された遠隔監視制御装置２７と通信回線を介して接続された状態で運用される。
【０００３】
前記ホストコンピュータ２５には元帳ファイルが設けてあり、ＡＴＭ１での顧客取引による取引データはこの元帳に格納され、管理されている。また、遠隔監視制御装置２７は、遠隔地からＡＴＭ１の監視（稼働状態等の監視）や遠隔制御（故障時の遠隔制御、電源オン／オフ等の制御）等を行うものである。
【０００４】
前記ＡＴＭ１には、顧客のカード（キャッシュカード、振込カード等）の出し入れを行うためのカード出入口８と、顧客が操作するための顧客用タッチパネル３と、顧客が挿入したカードに対し、取引情報を読み出したり、書き込んだりするためのカードリーダライタ４と、紙幣の出し入れを行うための紙幣ユニット５と、硬貨の出し入れを行うための硬貨ユニット６と、係員等が操作するための係員用タッチパネル７と、ＡＴＭ１内の各種制御を行う主制御部２等が設けてある。
【０００５】
そして、前記紙幣ユニット５には、顧客に対する紙幣の出し入れを行うための接客口（入出金部）１７と、紙幣の鑑別を行うための紙幣鑑別部１８と、紙幣の枚数を計数するための紙幣計数部１９と、入出金取引の紙幣を収納する金種毎の複数のスタッカ２０（スタッカＡ、Ｂとする）と、紙幣の補充等を行うための金種毎の複数のカセット２２（カセットＡ、Ｂとする）等が設けてある。
【０００６】
また、主制御部２には、各種制御を行うＣＰＵ１１と、メモリ１２と、紙幣ユニット５や硬貨ユニット６等の入出力制御を行うＩ／Ｏ制御部１４等が設けてある。なお、前記接客口１７にはシャッタが設けてあり、該シャッタは常時閉じていて、入出金時のみ開くようになっている。
【０００７】
§２：紙幣ユニットの動作概要説明
紙幣ユニットの動作概要は次の通りである。カセットＡ、Ｂには係員が紙幣（現金）を補充しておき、スタッカＡ、Ｂの紙幣が不足した場合には、カセットＡ、Ｂから紙幣を繰り出し、該紙幣をスタッカＡ、Ｂに収納することで、常にスタッカＡ、Ｂ内の紙幣が不足しないように補充しておく。
【０００８】
顧客が顧客用タッチパネル３を操作して入出金取引を行う場合の動作は次の通りである。例えば、出金時には、各スタッカＡ、Ｂから紙幣を繰り出し、紙幣鑑別部１８で鑑別後、出金プール部（図示省略）へプールし、出金紙幣をまとめて接客口１７へ排出し、接客口１７のシャッタを開放して顧客に出金する。
【０００９】
一方、入金時は、接客口１７のシャッタを開放して、接客口１７から顧客が投入した紙幣を紙幣鑑別部１８へ送り、この紙幣鑑別部１８で鑑別する。次に、鑑別後の紙幣は入金プール部（図示省略）に一時プールしておき、顧客の入金金額承認により、入金プール部から接客口１７を介し、鑑別金種により各スタッカＡ、Ｂ等へ収納し、入金する。
【００１０】
§３：従来例１の処理の説明・・・図１０参照
図１０は従来例１の処理フローチャートである。以下、図１０に基づいて従来例１の処理を説明する。なお、この処理は顧客の出金取引時の処理例であり、Ｓ１〜Ｓ９は各処理ステップを示す。
【００１１】
出金取引を行う場合、顧客がカード出入口８からカードを挿入し、カードリーダライタ４に挿入されると（Ｓ１）、ＡＴＭ１の顧客用タッチパネル３の画面に暗証番号の入力を促す情報が表示される。この表示を見て顧客が暗証番号を入力すると（Ｓ２）、ＡＴＭ１の顧客用タッチパネル３の画面に支払い金額（出金金額）の入力を促す情報が表示される。
【００１２】
この表示を見て顧客が支払い金額（出金金額）を入力すると（Ｓ３）、ＡＴＭ１の顧客用タッチパネル３の画面に出金金額の確認を促す情報が表示される。この表示を見て顧客が確認キーを押すと、この情報は主制御部２で認識される。この時、主制御部２は回線制御部１３を介してホストコンピュータ２５との通信を行う（Ｓ４）。この場合、ＡＴＭ１からホストコンピュータ２５へ取引データ（顧客の暗証番号、出金金額等）を送り、出金取引の承認を求める。
【００１３】
ホストコンピュータ２５では、前記取引データを受け取ると、元帳ファイルを検索し、ＡＴＭ１から送られてきた暗証番号から顧客を特定し、出金金額がこの特定された顧客に対して出金し得る限度に入っているかどうかを確認する。このようにして、ホストコンピュータ２５から取引可能の情報が送られてきて通信が終了すると、金種別のスタッカＡ、Ｂから必要な紙幣を繰り出し、接客口１７に送り込み集積する（Ｓ５）。
【００１４】
その後、接客口１７に必要枚数の紙幣が集積されると、顧客のカードをカード出入口８から排出し（Ｓ６）、センサ（図示省略）からの検知情報に基づいて主制御部２が前記カードの排出を確認すると、接客口１７のシャッタをオープンし（Ｓ７）、顧客に紙幣を渡す。そして、センサ（図示省略）からの検知情報に基づいて顧客が紙幣を受け取ったことを確認すると（Ｓ８）、前記シャッタをクローズして（Ｓ９）、取引を終了する。
【００１５】
§４：従来例２の処理の説明・・・図１１参照
図１１は従来例２の処理フローチャートである。以下、図１１に基づいて従来例２の処理を説明する。なお、この処理は顧客の出金取引時の処理例であり、Ｓ１１〜Ｓ１９は各処理ステップを示す。
【００１６】
出金取引を行う場合、顧客がカード出入口８からカードを挿入し、カードリーダライタ４に挿入されると（Ｓ１１）、ＡＴＭ１の顧客用タッチパネル３の画面に暗証番号の入力を促す情報が表示される。この表示を見て顧客が暗証番号を入力すると（Ｓ１２）、ＡＴＭ１の顧客用タッチパネル３の画面に支払い金額（出金金額）の入力を促す情報が表示される。
【００１７】
この表示を見て顧客が支払い金額（出金金額）を入力すると（Ｓ１３）、ＡＴＭ１の顧客用タッチパネル３の画面に出金金額の確認を促す情報が表示される。この表示を見て顧客が確認キーを押すと、この情報は主制御部２で認識される。この時、主制御部２は回線制御部１３を介してホストコンピュータ２５との通信を行う（Ｓ１４）。この場合、ＡＴＭ１からホストコンピュータ２５へ取引データ（顧客の暗証番号、出金金額等）を送り、出金取引の承認を求める。
【００１８】
ホストコンピュータ２５では、前記取引データを受け取ると、元帳を検索し、ＡＴＭ１から送られてきた暗証番号から顧客を特定し、出金金額がこの特定された顧客に対して出金し得る限度に入っているかどうかを確認する。
【００１９】
また、前記Ｓ１４の処理で行うホストコンピュータ２５との通信の開始と並行して同時に、金種別のスタッカから必要な紙幣を繰り出し、接客口１７に送り込み集積する（Ｓ１５）。このようにしてホストコンピュータ２５との通信と出金紙幣の集積とを同時に並行して処理を行う。
【００２０】
このようにして、ホストコンピュータ２５から取引可能の情報が送られてきて通信が終了し、接客口１７に必要枚数の紙幣が集積すると、顧客のカードをカード出入口８から排出し（Ｓ１６）、センサ（図示省略）からの検知情報に基づいて主制御部２が前記カードの排出を確認すると、接客口１７のシャッタをオープンし（Ｓ１７）、顧客に紙幣を渡す。
【００２１】
そして、センサ（図示省略）からの検知情報に基づいて顧客が紙幣を受け取ったことを確認すると（Ｓ１８）、前記シャッタをクローズして（Ｓ１９）、取引を終了する。このように、ホストコンピュータ２５との通信結果を待たずに出金紙幣を分離繰り出し、集積を開始することで処理時間を短縮することができる。これを「先行計数」、或いは「先行計数処理」と呼ぶ。
【００２２】
【発明が解決しようとする課題】
前記のような従来のものにおいては、次のような課題があった。
【００２３】
(1) ：従来例１では、ホストコンピュータ２５との通信が終了してから紙幣を分離繰り出し、接客口１７への集積を行うので、取引に要する処理時間が長くなる。
【００２４】
(2) ：従来例２では、先行計数処理を実行するが、この先行計数処理を実行すると、ホストコンピュータ２５との通信が終了しない内に接客口１７に紙幣を集積する。このため、ホストコンピュータ２５との通信が終了していない時、すなわち、顧客本人の特定及び出金限度額の特定がなされていない時に既に紙幣が接客口１７に集積される。従って、この時、接客口１７のシャッタが破られると、この時点では接客口１７の紙幣は相手方の所有のものに確定していないため、金融機関側の紙幣が取り出されるという問題がある。
【００２５】
また、暗証番号が間違っていたり、出金要求金額が顧客の支払い限度額を越えていても、接客口１７への紙幣の集積が開始されるので、盗難カードで出金取引を開始させ、紙幣を接客口１７に集積させてシャッタを破壊し、紙幣を取り出すことができてしまうという問題がある。
【００２６】
本発明は、このような従来の課題を解決し、先行計数処理を行うことで処理時間を短縮すると共に、先行計数処理を実行し、接客口のシャッタが破壊された場合でも、金融機関側の被害を最小限に抑えることができるようにすることを目的とする。
【００２７】
【課題を解決するための手段】
図１は本発明の原理説明図であり、２は主制御部、３は顧客用タッチパネル、５は紙幣ユニット、７は係員用タッチパネル、１１はＣＰＵ、１２はメモリ、１７は接客口、１８は紙幣鑑別部、１９は紙幣計数部、２０はスタッカ（スタッカＡ、Ｂ）、２５はセンタ内のホストコンピュータ、２９は磁気ディスク装置を示す。本発明は前記の目的を達成するため、次のように構成した。
【００２８】
(1) ：現金（紙幣、又は硬貨）を収納する現金収納部（例えば、紙幣を収納するためのスタッカ２０）、現金を計数する現金計数部（例えば、紙幣計数部１９）、顧客に対して現金の授受を行う接客口（例えば、紙幣ユニット５の接客口１７）、及び該接客口に設けられ、接客口内部と装置外部とを遮断する開閉可能な接客口シャッタを有する現金処理ユニット（例えば、紙幣ユニット５）と、顧客が取引の際に操作する顧客操作部（顧客用タッチパネル３）と、取引時の各種制御を行う制御部（例えば、主制御部２を含む制御部）を備えた自動取引装置において、前記制御部は、前記顧客操作部の操作により顧客から入力された出金金額が予め決めた限度額（例えば、メモリ１２に設定した先行計数限度額）以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、センタ内のホストコンピュータ２５との通信を行って取引に必要な情報が正当なものであるかを判断し、正当なものであると判断した場合には、接客口シャッタを開放して顧客に現金を渡す処理を行わせる第１の制御手段と、前記出金金額が予め決めた限度額以上であると判断した場合、ホストコンピュータ２５との通信を行って取引に必要な情報が正当なものであるかを判断し、正当なものであると判断した後に、前記現金処理ユニットを制御して、出金金額の現金を現金計数部で計数し、その計数した現金を接客口に集積させ、接客口シャッタを開放させて顧客に現金を渡す処理を行わせる第２の制御手段を備えている。
【００２９】
(2) ：現金を収納する現金収納部、現金を計数する現金計数部、顧客に対して現金の授受を行う接客口、及び該接客口に設けられ、接客口内部と装置外部とを遮断する開閉可能な接客口シャッタを有する現金処理ユニットと、顧客が取引の際に操作する顧客操作部と、取引時の各種制御を行う制御部を備えた自動取引装置において、前記制御部は、前記顧客操作部の操作により顧客から入力された出金金額が予め決めた限度額以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、ホストコンピュータ２５との通信を行って取引に必要な情報が正当なものであるかを判断し、正当なものであると判断した場合には、接客口シャッタを開放して顧客に現金を渡す処理を行わせる第１の制御手段と、前記出金金額が予め決めた限度額以上であると判断した場合、前記現金処理ユニットを制御して、前記限度額未満の現金を現金計数部で計数し、その計数した限度額未満の現金を接客口に集積させる処理を行わせ、前記処理と同時並行処理で、ホストコンピュータ２５との通信を行い取引に必要な情報が正当なものであるかを判断し、正当なものであると判断した場合は、その後、前記現金処理ユニットを制御して、残りの現金を現金計数部で計数し、その計数した現金を接客口に集積させ、接客口シャッタを開放して、顧客に現金を渡す処理を行わせる第２の制御手段を備えている。
【００３０】
(3) ：現金を収納する現金収納部、現金を計数する現金計数部、顧客に対して現金の授受を行う接客口、及び該接客口に設けられ、接客口内部と装置外部とを遮断する開閉可能な接客口シャッタを有する現金処理ユニットと、顧客が取引の際に操作する顧客操作部と、取引時の各種制御を行う制御部を備えた自動取引装置に、前記顧客操作部の操作により顧客から入力された出金金額が予め決めた限度額以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、ホストコンピュータ２５との通信を行って取引に必要な情報が正当なものであるかを判断し、正当なものであると判断した場合には、接客口シャッタを開放して顧客に現金を渡す処理を行わせる第１の手順と、前記出金金額が予め決めた限度額以上であると判断した場合は、ホストコンピュータ２５との通信を行って取引に必要な情報が正当なものであるかを判断し、正当なものであると判断した後に、前記現金処理ユニットを制御して、出金金額の現金を現金計数部で計数し、その計数した現金を接客口に集積させ、接客口シャッタを開放させて顧客に現金を渡す処理を行わせる第２の手順とを実行させるためのプログラムを記録したコンピュータ読み取り可能な記録媒体。
【００３１】
（作用）
前記構成に基づく本発明の作用を、図１に基づいて説明する。
【００３２】
(a) ：前記(1) では、取引開始前に、例えば、係員が係員用タッチパネル７を操作して先行計数限度額を入力しメモリ１２に格納しておく。この状態で顧客が顧客操作部（例えば、顧客操作用タッチパネル３）を操作して取引を行う。
【００３３】
この場合、第１の制御手段は、顧客操作部の操作により顧客から入力された出金金額が予め決めた限度額（メモリ１２に設定した先行計数限度額）以上かどうかを判断し、予め決めた限度額未満であると判断した場合は、顧客操作部から必要な情報が入力されると、現金処理ユニット（例えば、紙幣ユニット５）を制御して、前記出金金額の現金を現金計数部（例えば、紙幣計数部１９）で計数し、その計数した現金を接客口（例えば、紙幣ユニット５の接客口１７）に集積させる処理を行わせ、前記処理と同時並行処理で、センタ内のホストコンピュータ２５との通信を行って取引に必要な情報が正当なものであるかを判断し、正当なものであると判断した場合には、接客口シャッタを開放して顧客に現金を渡す処理を行わせる。
【００３４】
また、第２の制御手段は、前記出金金額が予め決めた限度額以上であると判断した場合、ホストコンピュータ２５との通信を行って取引に必要な情報が正当なものであるかを判断し、正当なものであると判断した後に、現金処理ユニットを制御して、出金金額の現金を現金計数部で計数し、その計数した現金を接客口に集積させ、接客口シャッタを開放させて顧客に現金を渡す処理を行わせる。
【００３５】
このように、予め決めた限度額未満の出金取引では、ホストコンピュータ２５との通信結果を待たずに現金を分離繰り出し、集積を開始する先行計数処理を行うことで取引時の処理時間を短縮することができる。また、ホストコンピュータ２５との通信結果を待たずに現金の集積を行うのは、予め決めた限度額未満であるため、先行計数処理を実行し、接客口のシャッタが破壊された場合でも、金融機関側の被害を最小限に抑えることができる。
【００３６】
(b) ：前記(2) では、取引開始前に、例えば、係員が係員用タッチパネル７を操作して先行計数限度額を入力し、メモリ１２に格納しておく。この状態で顧客が顧客操作部（例えば、顧客操作用タッチパネル３）を操作して取引を行う。
【００３７】
この場合、第１の制御手段は、顧客操作部の操作により顧客から入力された出金金額が予め決めた限度額以上かどうかを判断し、予め決めた限度額未満であると判断した場合は、顧客操作部から必要な情報が入力されると前記現金処理ユニットを制御して、前記出金金額の現金を現金計数部で計数し、その計数した現金を接客口に集積させる処理を行わせ、前記処理と同時並行処理で、ホストコンピュータ２５との通信を行って取引に必要な情報が正当なものであるかを判断し、正当なものであると判断した場合には、接客口シャッタを開放して顧客に現金を渡す処理を行わせる。
【００３８】
また、第２の制御部は、前記出金金額が予め決めた限度額以上であると判断した場合、前記現金処理ユニットを制御して、前記限度額未満の現金を現金計数部で計数し、その計数した限度額未満の現金を接客口に集積させる処理を行わせると共に、前記処理と同時並行処理で、ホストコンピュータ２５との通信を行い取引に必要な情報が正当なものであるかを判断し、正当なものであると判断した場合は、その後、前記現金処理ユニットを制御して、残りの現金を現金計数部で計数し、その計数した現金を接客口に集積させ、接客口シャッタを開放して顧客に現金を渡す処理を行わせる。
【００３９】
このように、予め決めた限度額未満の出金取引では、ホストコンピュータ２５との通信結果を待たずに現金を分離繰り出し、集積を開始する先行計数処理を行うことで取引時の処理時間を短縮することができる。また、ホストコンピュータ２５との通信結果を待たずに現金の集積を行うのは、予め決めた限度額未満であるため、先行計数処理を実行し、接客口のシャッタが破壊された場合でも、金融機関側の被害を最小限に抑えることができる。
【００４０】
更に、予め決めた限度額以上の出金取引の場合でも、限度額未満の現金については、前記と同様に、ホストコンピュータ２５との通信結果を待たずに現金を分離繰り出し、集積を開始する先行計数処理を行うことで取引時の処理時間を短縮することができる。この場合にも、ホストコンピュータ２５との通信結果を待たずに現金の集積を行うのは、予め決めた限度額未満であるため、先行計数処理を実行し、接客口のシャッタが破壊された場合でも、金融機関側の被害を最小限に抑えることができる。
【００４１】
(c) ：例えば、主制御部２のＣＰＵ１１が前記記録媒体のプログラムを読み出し実行することで、次のような制御を行う。すなわち、取引開始前に、例えば、係員が係員用タッチパネル７を操作して先行計数限度額を入力し、メモリ１２に格納しておく。この状態で顧客が顧客操作部（例えば、顧客操作用タッチパネル３）を操作して取引を行う。
【００４２】
この場合、第１の制御手段は、顧客操作部の操作により顧客から入力された出金金額が予め決めた限度額（メモリ１２に設定した先行計数限度額）以上かどうかを判断し、予め決めた限度額未満であると判断した場合は、顧客操作部から必要な情報が入力されると、現金処理ユニット（例えば、紙幣ユニット５）を制御して、前記出金金額の現金を現金計数部（例えば、紙幣計数部１９）で計数し、その計数した現金を接客口（例えば、紙幣ユニット５の接客口１７）に集積させる処理を行わせ、前記処理と同時並行処理で、センタ内のホストコンピュータ２５との通信を行って取引に必要な情報が正当なものであるかを判断し、正当なものであると判断した場合には、接客口シャッタを開放して顧客に現金を渡す処理を行わせる。
【００４３】
また、第２の制御手段は、前記出金金額が予め決めた限度額以上であると判断した場合、ホストコンピュータ２５との通信を行って取引に必要な情報が正当なものであるかを判断し、正当なものであると判断した後に、現金処理ユニットを制御して、出金金額の現金を現金計数部で計数し、その計数した現金を接客口に集積させ、接客口シャッタを開放させて顧客に現金を渡す処理を行わせる。
【００４４】
このように、予め決めた限度額未満の出金取引では、ホストコンピュータ２５との通信結果を待たずに現金を分離繰り出し、集積を開始する先行計数処理を行うことで取引時の処理時間を短縮することができる。また、ホストコンピュータ２５との通信結果を待たずに現金の集積を行うのは、予め決めた限度額未満であるため、先行計数処理を実行し、接客口のシャッタが破壊された場合でも、金融機関側の被害を最小限に抑えることができる。
【００４５】
【発明の実施の形態】
以下、発明の実施の形態を図面に基づいて詳細に説明する。なお、以下に説明する例は、前記自動取引装置をＡＴＭに適用した例であり、現金として紙幣を用いた場合の例である。
【００４６】
§１：ＡＴＭの説明
図２はＡＴＭのブロック図である。図２に示したようにＡＴＭには、内部の各種制御を行う主制御部２と、該主制御部２が実行するプログラムや取引データ等の各種データを格納する磁気デイスク装置２９と、顧客が取引の際に操作する顧客用タッチパネル３と、係員が保守等のために操作する係員用タッチパネル７と、外部の勘定系計算機センタ内のホストコンピュータ２５と通信を行う際の通信回線の制御を行う回線制御部１３と、Ｉ／Ｏユニット群等が設けてある。
【００４７】
そして、前記Ｉ／Ｏユニット群には、紙幣の入出金処理等を行う紙幣ユニット５と、硬貨の入出金処理等を行う硬貨ユニット６と、取引用カードに対し取引情報を読み取ったり、書き込んだりするためのカードリーダライタ４等が設けてある。
【００４８】
また、主制御部２には、内部の制御を行うＣＰＵ１１と、該ＣＰＵ１１がワーク用として使用するメモリ１２等が設けてある。そして、このメモリ１２には、先行計数処理を行う場合の出金金額の限度額（以下「先行計数限度額」と記す）が設定される。
【００４９】
この先行計数限度額は、ＡＴＭの運用開始前に、例えば、係員が係員用タッチパネル７を操作して入力し、その入力データを主制御部２のＣＰＵ１１の制御でメモリ１２に格納する。また、前記先行計数限度額は、遠隔監視制御装置２７、或いはホストコンピュータ２５から送信し、前記ＡＴＭで受信した後、主制御部２のＣＰＵ１１の制御でメモリ１２に格納しても良い。
【００５０】
更に、前記先行計数限度額は、例えば、５万円、或いは１０万円など任意の金額に設定するが、セキュリティ上の配慮から平日と休日、或いは昼間と夜間等で異なる値を設定しても良い。
【００５１】
§２：紙幣ユニットの説明
図３は紙幣ユニット制御系のブロック図、図４は紙幣ユニット機構部のブロック図である。以下、図３、４に基づいて紙幣ユニットを説明する。
【００５２】
図３に示したように、紙幣ユニット５の制御系には、ＡＴＭの主制御部２とのインタフェース制御を行うインタフェース回路３２と、紙幣ユニット５内の各種制御を行うＣＰＵ３１と、該ＣＰＵ３１が実行するプログラム等の各種データを格納しておくＲＯＭ３３と、ＣＰＵ３１がワーク用として使用するＲＡＭ３４等が設けてある。
【００５３】
また、紙幣ユニット５には、紙幣等の搬送制御を行う搬送制御部３５と、紙幣の鑑別を行う紙幣鑑別部１８と、紙幣の枚数を計数する紙幣計数部１９等を含む機構部が設けてあり（機構部の詳細は図４参照）、該機構部は前記ＣＰＵ３１により制御されるようになっている。
【００５４】
前記構成の紙幣ユニット５では、ＣＰＵ３１が主制御部２からのコマンド等により指示を受け、ＣＰＵ３１がＲＯＭ３３からプログラムを読み出して実行することにより、紙幣の入出金処理等を行う。この場合、機構部はＣＰＵ３１の指示に従って、紙幣の入出金時の動作を行う。
【００５５】
前記紙幣ユニット５の機構部は、例えば、図４のように構成されている。接客口（入出金部）１７は紙幣の入出金を行う際の接客口（入出金部）となる部分であり、該接客口１７にはシャッタ３８が設けてある。このシャッタは、通常の場合クローズ（シャッタ閉）しており、紙幣の入出金を行う時だけオープン（シャッタ開）する機構になっている。そして、シャッタ３８がクローズすると、内部に紙幣が集積してあったとしても、顧客からは見えないように、紙幣ユニット５内と装置外部とを遮断している。
【００５６】
紙幣鑑別部１８は、紙幣の金種判定、紙幣番号の読み取り、紙幣の表裏読み取り（表裏判定）等の鑑別を行う機構であり、紙幣計数部１９は、紙幣の枚数を計数する機構である。カセットＡは、スタッカに紙幣を補充、又はスタッカから紙幣を回収するための金種Ａ券用（千／５千円券用）のカセットであり、カセットＢは、スタッカに紙幣を補充、又はスタッカから紙幣を回収するための金種Ｂ券用（万円券用）のカセットである。
【００５７】
なお、９ＡはカセットＡに紙幣を収納した順番に繰り出すための繰出口、１０ＡはカセットＡに紙幣を収納するための収納口である。９ＢはカセットＢに紙幣を収納した順番に繰り出すための繰出口、１０ＢはカセットＢに紙幣を収納するための収納口である。
【００５８】
スタッカＡは、入金や出金を行うための金種Ａ券用（千／５千円券用）のスタッカであり、スタッカＢは、入金や出金を行うための金種Ｂ券用（万円券用）のスタッカである。なお、１１ＡはスタッカＡの紙幣を最後に収納した順番に繰り出すための繰出口、１２ＡはスタッカＡに紙幣を収納するための収納口、１１ＢはスタッカＢの紙幣を最後に収納した順番に繰り出すための繰出口、１２ＢはスタッカＢの紙幣を収納するための収納口である。
【００５９】
搬送路６は、前記各部と連結して紙幣を搬送する機構であり、搬送駆動機構（図示省略）により駆動されるものである。リジェクトボックス３９はリジェクトした紙幣を収納する機構である。なお、前記カセットＡ、Ｂは、最初に収納した紙幣が最初に繰り出される機構を有し、スタッカＡ、Ｂは、最後に収納した紙幣が最初に繰り出される機構を有する機構である。
【００６０】
§３：紙幣ユニットの動作概要
紙幣ユニットの動作概要は次の通りである。カセットＡ、Ｂには係員が紙幣（現金）を補充しておき、スタッカＡ、Ｂの紙幣が不足した場合には、カセットＡ、Ｂから紙幣を繰り出し、該紙幣をスタッカＡ、Ｂに収納することで、常にスタッカＡ、Ｂ内の紙幣が不足しないように補充しておく。
【００６１】
顧客が顧客用タッチパネル３を操作して入出金取引を行う場合の動作は次の通りである。例えば、出金時には、各スタッカＡ、Ｂから紙幣を繰り出し、紙幣鑑別部１８で鑑別後、出金プール部（図示省略）へプールし、出金紙幣をまとめて接客口１７へ排出し、接客口１７のシャッタ３８を開放して顧客に出金する。
【００６２】
一方、入金時は、接客口１７のシャッタ３８を開放して、接客口１７から顧客が投入した紙幣を紙幣鑑別部１８へ送り、この紙幣鑑別部１８で鑑別する。次に、鑑別後の紙幣は入金プール部（図示省略）に一時プールしておき、顧客の入金金額承認により、入金プール部から接客口１７を介し、鑑別金種により各スタッカＡ、Ｂ等へ収納し、入金する。
【００６３】
§４：ＡＴＭの処理概要の説明
(1) ：例１
例１では、取引開始前に、例えば、係員が係員用タッチパネル７を操作して先行計数限度額を入力し、メモリ１２に格納しておく。この状態で顧客が顧客操作用タッチパネル３を操作して取引を行う。
【００６４】
この場合、顧客用タッチパネル３の操作により、顧客から出金金額が入力されると、主制御部２のＣＰＵ１１は、入力された出金金額がメモリ１２内の先行計数限度額以上かどうかを判断する。その結果、先行計数限度額未満であると判断した場合は、顧客用タッチパネル３から必要な情報（暗証番号、金額確認キー情報等）が入力されると、紙幣ユニット５を制御して、前記出金金額の紙幣を紙幣計数部１９で計数し、その計数した現金を接客口１７に集積させる。
【００６５】
また、前記処理と同時並行処理で、センタ内のホストコンピュータ２５との通信を行って取引に必要な情報が正当なものであるかを判断し、正当なものであると判断した場合には、接客口のシャッタ３８を開放して顧客に現金を渡す。
【００６６】
更に、前記出金金額が先行計数限度額以上であると判断した場合、ＣＰＵ１１は、ホストコンピュータ２５との通信を行って取引に必要な情報が正当なものであるかを判断し、正当なものであると判断した後に、紙幣ユニット５を制御して出金金額の紙幣を紙幣計数部１９で計数し、その計数した紙幣を接客口１７に集積させ、接客口１７のシャッタ３８を開放させて顧客に紙幣を渡す。
【００６７】
このように、予め決めた先行計数限度額未満の出金取引では、ホストコンピュータ２５との通信結果を待たずに紙幣を分離繰り出し、集積を開始する処理、すなわち、先行計数処理を行うことで取引時の処理時間を短縮することができる。また、ホストコンピュータ２５との通信結果を待たずに処理の集積を行うのは、予め決めた先行計数限度額未満であるため、先行計数処理を実行し、接客口１７のシャッタ３８が破壊された場合でも、金融機関側の被害を最小限に抑えることができる。
【００６８】
(2) ：例２
例２では、取引開始前に、例えば、係員が係員用タッチパネル７を操作して先行計数限度額を入力し、メモリ１２に格納しておく。この状態で顧客が顧客操作用タッチパネル３を操作して取引を行う。この場合、顧客用タッチパネル３の操作により、顧客から出金金額が入力されると、主制御部２のＣＰＵ１１は、入力された出金金額がメモリ１２内の先行計数限度額以上かどうかを判断する。
【００６９】
その結果、先行計数限度額未満であると判断した場合は、顧客用タッチパネル３から必要な情報（暗証番号、金額確認キー情報等）が入力されると、紙幣ユニット５を制御して、前記出金金額の紙幣を紙幣計数部１８で計数し、その計数した現金を接客口１７に集積させる。
【００７０】
また、前記処理と同時並行処理で、センタ内のホストコンピュータ２５との通信を行って取引に必要な情報が正当なものであるかを判断し、正当なものであると判断した場合には、接客口のシャッタ３８を開放して顧客に紙幣を渡す。
【００７１】
更に、前記出金金額が予め決めた先行計数限度額以上であると判断した場合、紙幣ユニット５を制御して先行計数限度額未満の紙幣を紙幣計数部１９で計数し、その計数した先行計数限度額未満の紙幣を接客口１７に集積させる。
【００７２】
また、ＣＰＵ１１は前記処理と同時並行処理で、ホストコンピュータ２５との通信を行い取引に必要な情報が正当なものであるかを判断し、正当なものであると判断した場合は、その後、前記紙幣ユニット５を制御して、残りの紙幣を紙幣計数部１９で計数し、その計数した紙幣を接客口１７に集積させ、接客口１７のシャッタ３８を開放して顧客に紙幣を渡す。
【００７３】
このように、予め決めた先行計数限度額未満の出金取引では、ホストコンピュータ２５との通信結果を待たずに紙幣を分離繰り出し、集積を開始する処理、すなわち、先行計数処理を行うことで取引時の処理時間を短縮することができる。また、ホストコンピュータ２５との通信結果を待たずに処理の集積を行うのは、予め決めた先行計数限度額未満であるため、先行計数処理を実行し、接客口１７のシャッタ３８が破壊された場合でも、金融機関側の被害を最小限に抑えることができる。
【００７４】
更に、予め決めた先行計数限度額以上の出金取引の場合でも、該先行計数限度額未満の現金については、前記と同様に、ホストコンピュータ２５との通信結果を待たずに処理を分離繰り出し、集積を開始する先行計数処理を行うことで取引時の処理時間を短縮することができる。また、この場合にも、ホストコンピュータ２５との通信結果を待たずに紙幣の集積を行うのは、予め決めた先行計数限度額未満であるため、先行計数処理を実行し、接客口１７のシャッタ３８が破壊された場合でも、金融機関側の被害を最小限に抑えることができる。
【００７５】
なお、１例として、ホストコンピュータ２５との通信に有する時間は、３秒程度であり、接客口１７に紙幣を集積する時間は、３〜５枚／秒程度である。
【００７６】
§５：フローチャートによる例１の処理説明
図５は例１の処理フローチャート（その１）、図６は例１の処理フローチャート（その２）である。以下、図５、６に基づいて例１の処理を説明する。なお、Ｓ２１〜Ｓ３４は各処理ステップを示す。
【００７７】
出金取引を行う場合、顧客がカード出入口８から取引用のカード（キャッシュカード）を挿入し、カードリーダライタ４に挿入されると（Ｓ２１）、顧客用タッチパネル３の画面に暗証番号の入力を促す情報が表示される。この表示を見て顧客が暗証番号を入力すると（Ｓ２２）、顧客用タッチパネル３の画面に支払い金額（出金金額）の入力を促す情報が表示される。
【００７８】
この表示を見て顧客が支払い金額（出金金額）を入力すると（Ｓ２３）、顧客用タッチパネル３の画面に出金金額の確認を促す情報が表示される。この表示を見て顧客が確認キーを押すと、この情報は主制御部２で認識される。この時、主制御部２は、メモリ１２の先行計数限度額と、顧客の入力金額（出金金額）との比較を行う（Ｓ２４）。
【００７９】
その結果、顧客の入力金額（出金金額）が先行計数限度額未満であれば、前記従来例２と同じ処理を行う。すなわち、主制御部２は回線制御部１３を介してホストコンピュータ２５との通信を行い（Ｓ２５）、ＡＴＭ１からホストコンピュータ２５へ取引データ（顧客の暗証番号、出金金額等）を送り、出金取引の承認を求める。
【００８０】
ホストコンピュータ２５では、前記取引データを受け取ると、元帳を検索し、ＡＴＭ１から送られてきた暗証番号から顧客を特定し、出金金額がこの特定された顧客に対して出金し得る限度に入っているかどうかを確認する。また、前記Ｓ２５の処理で行うホストコンピュータ２５との通信の開始と並行して同時に、金種別のスタッカＡ、Ｂから必要な枚数の紙幣を繰り出し、接客口１７に送り込み集積する（Ｓ２７）。このようにしてホストコンピュータ２５との通信と出金紙幣の集積処理とを同時に並行して処理を行う。
【００８１】
そして、ホストコンピュータ２５から取引可能の情報が送られてきて通信が終了し（Ｓ２６）、接客口１７に必要枚数の紙幣が集積すると、顧客のカードをカード出入口８から排出し（Ｓ３１）、センサ（図示省略）からの検知情報に基づいて主制御部２が前記カードの排出を確認すると、接客口１７のシャッタ３８をオープンし（Ｓ３２）、顧客に紙幣を渡す。そして、センサ（図示省略）からの検知情報に基づいて顧客が紙幣を受け取ったことを確認すると（Ｓ３３）、前記シャッタ３８をクローズして（Ｓ３４）、取引を終了する。
【００８２】
一方、前記Ｓ２４の処理で、顧客の入力金額が先行計数限度額以上となれば、主制御部２は回線制御部１３を介してホストコンピュータ２５との通信を行い（Ｓ２８）、ＡＴＭ１からホストコンピュータ２５へ取引データ（顧客の暗証番号、出金金額等）を送り、出金取引の承認を求める。
【００８３】
ホストコンピュータ２５では、前記取引データを受け取ると、元帳を検索し、ＡＴＭ１から送られてきた暗証番号から顧客を特定し、出金金額がこの特定された顧客に対して出金し得る限度に入っているかどうかを確認する。このようにして、ホストコンピュータ２５から取引可能の情報が送られてきて通信が終了（Ｓ２９）した後、金種別のスタッカＡ、Ｂから必要な紙幣を繰り出し、接客口１７に送り込み集積する（Ｓ３０）。
【００８４】
その後、接客口１７に必要枚数の紙幣が集積されると、顧客のカードをカード出入口８から排出し（Ｓ３１）、センサ（図示省略）からの検知情報に基づいて主制御部２が前記カードの排出を確認すると、接客口１７のシャッタ３８をオープンし（Ｓ３２）、顧客に紙幣を渡す。そして、センサ（図示省略）からの検知情報に基づいて顧客が紙幣を受け取ったことを確認すると（Ｓ３３）、前記シャッタ３８をクローズして（Ｓ３４）、取引を終了する。
【００８５】
§６：フローチャートによる例２の処理説明・・・図７、図８参照
図７は例２の処理フローチャート（その１）、図８は例２の処理フローチャート（その２）である。以下、図７、８に基づいて例２の処理を説明する。なお、Ｓ４１〜Ｓ５５は各処理ステップを示す。
【００８６】
出金取引を行う場合、顧客がカード出入口８からカードを挿入し、カードリーダライタ４に挿入されると（Ｓ４１）、顧客用タッチパネル３の画面に暗証番号の入力を促す情報が表示される。この表示を見て顧客が暗証番号を入力すると（Ｓ４２）、顧客用タッチパネル３の画面に支払い金額（出金金額）の入力を促す情報が表示される。
【００８７】
この表示を見て顧客が支払い金額（出金金額）を入力すると（Ｓ４３）、顧客用タッチパネル３の画面に出金金額の確認を促す情報が表示される。この表示を見て顧客が確認キーを押すと、この情報は主制御部２で認識される。この時、主制御部２は、メモリ１２内の先行計数限度額と、顧客の入力金額（出金金額）との比較を行う（Ｓ４４）。
【００８８】
その結果、顧客の入力金額（出金金額）が先行計数限度額未満であれば、前記従来例２と同じ処理を行う。すなわち、主制御部２は回線制御部１３を介してホストコンピュータ２５との通信を行い（Ｓ４５）、ＡＴＭ１からホストコンピュータ２５へ取引データ（顧客の暗証番号、出金金額等）を送り、出金取引の承認を求める。
【００８９】
ホストコンピュータ２５では、前記取引データを受け取ると、元帳を検索し、ＡＴＭ１から送られてきた暗証番号から顧客を特定し、出金金額がこの特定された顧客に対して出金し得る限度に入っているかどうかを確認する。
【００９０】
また、前記Ｓ４５の処理で行うホストコンピュータ２５との通信の開始と並行して同時に、金種別のスタッカＡ、Ｂから必要な紙幣を繰り出し、接客口１７に送り込み集積する（Ｓ４７）。このようにしてホストコンピュータ２５との通信と出金紙幣の集積処理とを同時に並行して処理を行う。
【００９１】
そして、ホストコンピュータ２５から取引可能の情報が送られてきて通信が終了（Ｓ４６）した後、接客口１７に必要枚数の紙幣が集積すると、顧客のカードをカード出入口８から排出し（Ｓ５２）、センサ（図示省略）からの検知情報に基づいて主制御部２が前記カードの排出を確認すると、接客口１７のシャッタ３８をオープンし（Ｓ５３）、顧客に紙幣を渡す。そして、センサ（図示省略）からの検知情報に基づいて顧客が紙幣を受け取ったことを確認すると（Ｓ５４）、前記シャッタ３８をクローズして（Ｓ５５）、取引を終了する。
【００９２】
一方、前記Ｓ４４の処理で、顧客の入力金額が先行計数限度額以上となれば、主制御部２は回線制御部１３を介してホストコンピュータ２５との通信を行い（Ｓ４８）、ＡＴＭ１からホストコンピュータ２５へ取引データ（顧客の暗証番号、出金金額等）を送り、出金取引の承認を求める。
【００９３】
ホストコンピュータ２５では、前記取引データを受け取ると、元帳を検索し、ＡＴＭ１から送られてきた暗証番号から顧客を特定し、出金金額がこの特定された顧客に対して出金し得る限度に入っているかどうかを確認する。
【００９４】
また、前記Ｓ４８の処理で行うホストコンピュータ２５との通信の開始と並行して同時に、金種別のスタッカＡ、Ｂから、先行計数限度額未満の紙幣を繰り出し、接客口１７に送り込み集積する（Ｓ５０）。このようにしてホストコンピュータ２５との通信と出金紙幣の集積とを同時に並行して処理を行う。
【００９５】
そして、ホストコンピュータ２５から取引可能の情報が送られてきて通信が終了（Ｓ４９）した後、金種別のスタッカＡ、Ｂから残りの紙幣（先行計数限度額未満の金額を除いた残りの紙幣）を繰り出し、接客口１７に送り込み集積する（Ｓ５１）。
【００９６】
その後、接客口１７に必要枚数の紙幣が集積されると、顧客のカードをカード出入口８から排出し（Ｓ５２）、センサ（図示省略）からの検知情報に基づいて主制御部２が前記カードの排出を確認すると、接客口１７のシャッタをオープンし（Ｓ５３）、顧客に紙幣を渡す。そして、センサ（図示省略）からの検知情報に基づいて顧客が紙幣を受け取ったことを確認すると（Ｓ５４）、前記シャッタをクローズして（Ｓ５５）、取引を終了する。
【００９７】
§７：処理プログラムと記録媒体の説明
図２に示した主制御部２のＣＰＵ１１が、磁気ディスク装置２９に格納してあるプログラムを読み出して実行することにより、前記例１、例２の処理を行う。この場合、磁気ディスク装置２９に格納するプログラムは、例えば、次のようにして格納することも可能である。
【００９８】
▲１▼：他の装置で作成されたフレキシブルディスク（フロッピィディスク）に格納されているプログラム（他の装置で作成したプログラムデータ）を、ＡＴＭに設けたフロッピィディスクドライブにより読み取り、磁気ディスク装置２９の記録媒体（ハードディスク）に格納する。
【００９９】
▲２▼：光磁気ディスク、或いはＣＤ−ＲＯＭ等の記憶媒体に格納されているデータを、ＡＴＭに設けた光ディスクドライブにより読み取り、磁気ディスク装置２９の記録媒体（ハードディスク）に格納する。
【０１００】
▲３▼：ＬＡＮ等の通信回線を介して他の装置から伝送されたプログラムを、回線制御部を介して受信し、そのデータを磁気ディスク装置２９の記録媒体（ハードディスク）に格納する。
【０１０１】
【発明の効果】
以上説明したように、本発明によれば次のような効果がある。
(1) ：取引開始前に出金金額の限度額（先行計数限度額）を入力し、メモリに格納しておく。この状態で顧客が顧客操作部を操作して取引を行う。この場合、第１の制御手段は、顧客操作部の操作により顧客から入力された出金金額が予め決めた限度額（先行計数限度額）以上かどうかを判断し、予め決めた限度額未満であると判断した場合は、顧客操作部から必要な情報が入力されると、現金処理ユニット（例えば、紙幣ユニット）を制御して、前記出金金額の現金を現金計数部で計数し、その計数した現金を接客口に集積させる処理を行わせ、前記処理と同時並行処理で、センタ内のホストコンピュータとの通信を行って取引に必要な情報が正当なものであるかを判断し、正当なものであると判断した場合には、接客口シャッタを開放して顧客に現金を渡す処理を行わせる。
【０１０２】
また、第２の制御手段は、前記出金金額が予め決めた限度額以上であると判断した場合、ホストコンピュータ２５との通信を行って取引に必要な情報が正当なものであるかを判断し、正当なものであると判断した後に、前記現金処理ユニットを制御して出金金額の現金を現金計数部で計数し、その計数した現金を接客口に集積させ、接客口シャッタを開放させて顧客に現金を渡す処理を行わせる。
【０１０３】
このように、予め決めた限度額未満の出金取引では、ホストコンピュータとの通信結果を待たずに現金を分離繰り出し、集積を開始する先行計数処理を行うことで取引時の処理時間を短縮することができる。また、ホストコンピュータとの通信結果を待たずに現金の集積を行うのは、予め決めた限度額未満であるため、先行計数処理を実行し、接客口のシャッタが破壊された場合でも、金融機関側の被害を最小限に抑えることができる。
【０１０４】
(2) ：取引開始前に出金金額の限度額（先行計数限度額）を入力し、メモリに格納しておく。この状態で顧客が顧客操作部を操作して取引を行う。この場合、第１の制御手段は、顧客操作部の操作により顧客から入力された出金金額が予め決めた限度額以上かどうかを判断し、予め決めた限度額未満であると判断した場合は、顧客操作部から必要な情報が入力されると現金処理ユニットを制御して、前記出金金額の現金を現金計数部で計数し、その計数した現金を接客口に集積させる処理を行わせ、前記処理と同時並行処理で、ホストコンピュータとの通信を行って取引に必要な情報が正当なものであるかを判断し、正当なものであると判断した場合には、接客口シャッタを開放して顧客に現金を渡す処理を行わせる。
【０１０５】
また、第２の制御部は、前記出金金額が予め決めた限度額以上であると判断した場合、前記現金処理ユニットを制御して、前記限度額未満の現金を現金計数部で計数し、その計数した限度額未満の現金を接客口に集積させる処理を行わせると共に、前記処理と同時並行処理で、ホストコンピュータとの通信を行い取引に必要な情報が正当なものであるかを判断し、正当なものであると判断した場合は、その後、前記現金処理ユニットを制御して、残りの現金を現金計数部で計数し、その計数した現金を接客口に集積させ、接客口シャッタを開放して顧客に現金を渡す処理を行わせる。
【０１０６】
このように、予め決めた限度額未満の出金取引では、ホストコンピュータとの通信結果を待たずに現金を分離繰り出し、集積を開始する先行計数処理を行うことで取引時の処理時間を短縮することができる。また、ホストコンピュータとの通信結果を待たずに現金の集積を行うのは、予め決めた限度額未満であるため、先行計数処理を実行し、接客口のシャッタが破壊された場合でも、金融機関側の被害を最小限に抑えることができる。
【０１０７】
更に、予め決めた限度額以上の出金取引の場合でも、該限度額未満の現金については、前記と同様に、ホストコンピュータとの通信結果を待たずに現金を分離繰り出し、集積を開始する先行計数処理を行うことで取引時の処理時間を短縮することができる。また、この場合にも、ホストコンピュータとの通信結果を待たずに現金の集積を行うのは、予め決めた限度額未満であるため、先行計数処理を実行し、接客口のシャッタが破壊された場合でも、金融機関側の被害を最小限に抑えることができる。
【０１０８】
(3) ：制御部は、記録媒体のプログラムを読み出して実行することにより、取引の制御を行う。この場合、取引開始前に出金金額の限度額（先行計数限度額）を入力し、メモリに格納しておく。この状態で顧客が顧客操作部を操作して取引を行う。
【０１０９】
この場合、第１の制御手段は、顧客操作部の操作により顧客から入力された出金金額が予め決めた限度額以上かどうかを判断し、予め決めた限度額未満であると判断した場合は、顧客操作部から必要な情報が入力されると、現金処理ユニット（例えば、紙幣ユニット）を制御して、前記出金金額の現金を現金計数部（例えば、紙幣計数部）で計数し、その計数した現金を接客口に集積させる処理を行わせ、前記処理と同時並行処理で、センタ内のホストコンピュータとの通信を行って取引に必要な情報が正当なものであるかを判断し、正当なものであると判断した場合には、接客口シャッタを開放して顧客に現金を渡す処理を行わせる。
【０１１０】
また、第２の制御手段は、出金金額が予め決めた限度額以上であると判断した場合、ホストコンピュータとの通信を行って取引に必要な情報が正当なものであるかを判断し、正当なものであると判断した後に、前記現金処理ユニットを制御して、出金金額の現金を現金計数部で計数し、その計数した現金を接客口に集積させ、接客口シャッタを開放させて顧客に現金を渡す処理を行わせる。
【０１１１】
このように、予め決めた限度額未満の出金取引では、ホストコンピュータとの通信結果を待たずに現金を分離繰り出し、集積を開始する先行計数処理を行うことで取引時の処理時間を短縮することができる。また、ホストコンピュータとの通信結果を待たずに現金の集積を行うのは、予め決めた限度額未満であるため、先行計数処理を実行し、接客口のシャッタが破壊された場合でも、金融機関側の被害を最小限に抑えることができる。
【図面の簡単な説明】
【図１】本発明の原理説明図である。
【図２】本発明の実施の形態におけるＡＴＭのブロック図である。
【図３】本発明の実施の形態における紙幣ユニット制御系のブロック図である。
【図４】本発明の実施の形態における紙幣ユニット機構部のブロック図である。
【図５】本発明の実施の形態における例１の処理フローチャート（その１）である。
【図６】本発明の実施の形態における例１の処理フローチャート（その２）である。
【図７】本発明の実施の形態における例２の処理フローチャート（その１）である。
【図８】本発明の実施の形態における例２の処理フローチャート（その２）である。
【図９】従来のＡＴＭブロック図である。
【図１０】従来例１の処理フローチャートである。
【図１１】従来例２の処理フローチャートである。
【符号の説明】
１  ＡＴＭ
２  主制御部
３  顧客用タッチパネル
４  カードリーダライタ
５  紙幣ユニット
６  硬貨ユニット
７  係員用タッチパネル
８  カード出入口
１１、３１  ＣＰＵ
１２  メモリ
１３  回線制御部
１４  Ｉ／Ｏ制御部
１７  接客口
１８  紙幣鑑別部
１９  紙幣計数部
２０  スタッカ
２２  カセット
２３  搬送路
２５  ホストコンピュータ
２７  遠隔監視制御装置
２９  磁気ディスク装置
３２  インタフェース回路
３３  ＲＯＭ
３４  ＲＡＭ
３５  搬送制御部
３８  シャッタ
３９  リジェクトボックス
【図１】
0003746914.tif 000002
【図２】
0003746914.tif 000003
【図３】
0003746914.tif 000004
【図４】
0003746914.tif 000005
【図５】
0003746914.tif 000006
【図６】
0003746914.tif 000007
【図７】
0003746914.tif 000008
【図８】
0003746914.tif 000009
【図９】
0003746914.tif 000010
【図１０】
0003746914.tif 000011
【図１１】
0003746914.tif 000012